(57)【要約】      （修正有）【課題】フィニッシャを用いることなく、複数ページから成る印刷物を部単位でソート印刷する制御方法を提供する。【解決手段】制御部４９が、製版部２を制御することにより、第１ドラム２５及び第２ドラム３６にそれぞれ原稿の２ページ目及び１ページ目の原稿画像が加熱穿孔された孔版原紙を巻装させ、その後、第１，第２印刷部４，６を制御することにより、第１ドラム２５を利用して原稿画像の２ページ目を印刷し、２ページ目の印刷完了後、第２ドラム３６を利用して原稿画像の１ページ目を印刷する処理を印刷部数分実行するように孔版印刷装置を制御する。【選択図】図２
2006150674.tif 000002
【特許請求の範囲】
【請求項１】
第１、第２ドラムを有し、原稿画像データに基づいて孔版原紙を加熱穿孔し、加熱穿孔された該孔版原紙を前記第１、第２ドラムに巻装し、該第１、第２ドラムに印刷用紙を圧接することで印刷する孔版印刷装置において、
２ページから成る原稿画像の印刷部数を入力する操作部と、
前記操作部から入力された印刷部数を記憶する印刷部数記憶部と、
前記第１ドラムには前記原稿画像の第２ページの原稿画像が加熱穿孔された孔版原紙、前記第２ドラムには前記原稿画像の第１ページの原稿画像が加熱穿孔された孔版原紙を巻装し、前記第１ドラムで前記原稿画像の第２ページ、前記第２ドラムで前記原稿画像の第１ページの順で前記印刷部数記憶部に記憶された印刷部数だけ印刷処理を実行する制御部と、
を備えることを特徴とする孔版印刷装置。
【請求項２】
第１、第２ドラムを有し、原稿画像データに基づいて孔版原紙を加熱穿孔し、加熱穿孔された該孔版原紙を前記第１、第２ドラムに巻装し、該第１、第２ドラムに印刷用紙を圧接することで印刷する孔版印刷装置において、
４ページから成る原稿画像の印刷部数を入力する操作部と、
前記操作部から入力された印刷部数を記憶する印刷部数記憶部と、
前記第１ドラムには前記原稿画像の第３、第４ページの原稿画像が加熱穿孔された孔版原紙、前記第２ドラムには前記原稿画像の第１、第２ページの原稿画像が加熱穿孔された孔版原紙を巻装し、前記第１ドラムで前記原稿画像の第４、第３ページ、前記第２ドラムで前記原稿画像の第２、第１ページの順で前記印刷部数記憶部に記憶された印刷部数だけ印刷処理を実行する制御部と、
を備えることを特徴とする孔版印刷装置。
【請求項３】
第１、第２ドラムを有し、原稿画像データに基づいて孔版原紙を加熱穿孔し、加熱穿孔された該孔版原紙を前記第１、第２ドラムに巻装し、該第１、第２ドラムに印刷用紙を圧接することで印刷する孔版印刷装置の制御方法において、
ユーザが操作部から入力した２ページから成る原稿画像の印刷部数を印刷部数記憶部に記憶するステップと、
前記第１ドラムには前記原稿画像の第２ページの原稿画像が加熱穿孔された孔版原紙、前記第２ドラムには前記原稿画像の第１ページの原稿画像が加熱穿孔された孔版原紙を巻装するステップと、
前記第１ドラムで前記原稿画像の第２ページ、前記第２ドラムで前記原稿画像の第１ページの順で印刷処理を前記印刷部数記憶部に記憶された印刷部数分実行するステップと、
を有することを特徴とする孔版印刷装置の制御方法。
【請求項４】
第１、第２ドラムを有し、原稿画像データに基づいて孔版原紙を加熱穿孔し、加熱穿孔された該孔版原紙を前記第１、第２ドラムに巻装し、該第１、第２ドラムに印刷用紙を圧接することで印刷する孔版印刷装置の制御方法において、
ユーザが操作部から入力した４ページから成る原稿画像の印刷部数を印刷部数記憶部に記憶するステップと、
前記第１ドラムには前記原稿画像の第３、第４ページの原稿画像が加熱穿孔された孔版原紙、前記第２ドラムには前記原稿画像の第１、第２ページの原稿画像が加熱穿孔された孔版原紙を巻装するステップと、
前記第１ドラムで前記原稿画像の第４、第３ページ、前記第２ドラムで前記原稿画像の第２、第１ページの順で印刷処理を前記印刷部数記憶部に記憶された印刷部数分実行するステップと、
を有することを特徴とする孔版印刷装置の制御方法。
【発明の詳細な説明】
【技術分野】
【０００１】
本発明は、２つのドラムを有する孔版印刷装置及びその制御方法に関し、より詳しくは、ソータ等のフィニッシャを用いることなく、複数ページから成る印刷物を部単位で印刷するための技術に係わる。
【背景技術】
【０００２】
従来より、原稿の画像データを孔版原紙に加熱穿孔し、加熱穿孔された孔版原紙をドラムに巻装（着版）し、ドラムに印刷用紙を圧接することにより、印刷用紙に原稿画像を印刷する孔版印刷装置が知られており（例えば、特許文献１を参照）、このような孔版印刷装置によれば、原稿の多枚数印刷を高速に行うことができる。
【特許文献１】特開２００１−３１５４２２号公報
【発明の開示】
【発明が解決しようとする課題】
【０００３】
しかしながら、従来までの孔版印刷装置によれば、複数ページから成る印刷物を部単位でソート印刷する場合、製版処理及び印刷処理を各ページ毎に独立して行うために、ソーター等のフィニッシャを使用して各ページを部単位に仕分けする必要があった。特に２ページから成る印刷物を印刷する場合でもフィニッシャを使用する必要があり、面倒であった。
【０００４】
本発明は、上記課題を解決するためになされたものであり、その目的は、フィニッシャを用いることなく、複数ページから成る印刷物を部単位でソート印刷することが可能な孔版印刷装置及びその制御方法を提供することにある。
【課題を解決するための手段】
【０００５】
上記課題を解決するため、本発明に係る孔版印刷装置は、第１、第２ドラムを有し、原稿画像データに基づいて孔版原紙を加熱穿孔し、加熱穿孔された該孔版原紙を前記第１、第２ドラムに巻装し、該第１、第２ドラムに印刷用紙を圧接することで印刷する孔版印刷装置において、２ページから成る原稿画像の印刷部数を入力する操作部と、前記操作部から入力された印刷部数を記憶する印刷部数記憶部と、前記第１ドラムには前記原稿画像の第２ページの原稿画像が加熱穿孔された孔版原紙、前記第２ドラムには前記原稿画像の第１ページの原稿画像が加熱穿孔された孔版原紙を巻装し、前記第１ドラムで前記原稿画像の第２ページ、前記第２ドラムで前記原稿画像の第１ページの順で前記印刷部数記憶部に記憶された印刷部数だけ印刷処理を実行する制御部とを備えることを特徴とする。
【０００６】
更に、本発明に係る孔版印刷装置は、第１、第２ドラムを有し、原稿画像データに基づいて孔版原紙を加熱穿孔し、加熱穿孔された該孔版原紙を前記第１、第２ドラムに巻装し、該第１、第２ドラムに印刷用紙を圧接することで印刷する孔版印刷装置において、４ページから成る原稿画像の印刷部数を入力する操作部と、前記操作部から入力された印刷部数を記憶する印刷部数記憶部と、前記第１ドラムには前記原稿画像の第３、第４ページの原稿画像が加熱穿孔された孔版原紙、前記第２ドラムには前記原稿画像の第１、第２ページの原稿画像が加熱穿孔された孔版原紙を巻装し、前記第１ドラムで前記原稿画像の第４、第３ページ、前記第２ドラムで前記原稿画像の第２、第１ページの順で前記印刷部数記憶部に記憶された印刷部数だけ印刷処理を実行する制御部とを備えることを特徴とする。
【０００７】
更に、本発明に係る孔版印刷装置の制御方法は、第１、第２ドラムを有し、原稿画像データに基づいて孔版原紙を加熱穿孔し、加熱穿孔された該孔版原紙を前記第１、第２ドラムに巻装し、該第１、第２ドラムに印刷用紙を圧接することで印刷する孔版印刷装置の制御方法において、ユーザが操作部から入力した２ページから成る原稿画像の印刷部数を印刷部数記憶部に記憶するステップと、前記第１ドラムには前記原稿画像の第２ページの原稿画像が加熱穿孔された孔版原紙、前記第２ドラムには前記原稿画像の第１ページの原稿画像が加熱穿孔された孔版原紙を巻装するステップと、前記第１ドラムで前記原稿画像の第２ページ、前記第２ドラムで前記原稿画像の第１ページの順で印刷処理を前記印刷部数記憶部に記憶された印刷部数分実行するステップとを有することを特徴とする。
【０００８】
更にまた、本発明に係る孔版印刷装置の制御方法は、第１、第２ドラムを有し、原稿画像データに基づいて孔版原紙を加熱穿孔し、加熱穿孔された該孔版原紙を前記第１、第２ドラムに巻装し、該第１、第２ドラムに印刷用紙を圧接することで印刷する孔版印刷装置の制御方法において、ユーザが操作部から入力した４ページから成る原稿画像の印刷部数を印刷部数記憶部に記憶するステップと、前記第１ドラムには前記原稿画像の第３、第４ページの原稿画像が加熱穿孔された孔版原紙、前記第２ドラムには前記原稿画像の第１、第２ページの原稿画像が加熱穿孔された孔版原紙を巻装するステップと、前記第１ドラムで前記原稿画像の第４、第３ページ、前記第２ドラムで前記原稿画像の第２、第１ページの順で印刷処理を前記印刷部数記憶部に記憶された印刷部数分実行するステップとを有することを特徴とする。
【発明の効果】
【０００９】
本発明に係る孔版印刷装置及びその制御方法によれば、フィニッシャを用いることなく、複数ページから成る印刷物を部単位でソート印刷することができる。
【発明を実施するための最良の形態】
【００１０】
本発明は、図１に示すような２つのドラムを有する孔版印刷装置に適用することができる。以下、図面を参照して、本発明の実施形態となる孔版印刷装置の構成と動作について詳しく説明する。
【００１１】
［孔版印刷装置の構成］
本発明の実施形態となる孔版印刷装置１は、原稿読取部１９と、製版部２と、給紙部３と、第１印刷部４と、中間搬送部５と、第２印刷部６と、排紙部７と、第１排版部８及び第２排版部９とから主に構成されている。
【００１２】
原稿読取部１９は、装置本体１０の上部に設けられ、印刷に供される原稿を画像データとして読み取るようになっている。この読み取った画像データは、第１ドラム２５の色インク用と第２ドラム３６の色インク用の各製版データとして生成するようになっている。また、製版データは所定の指令（拡大、縮小等）に基づいて加工可能である。
【００１３】
製版部２は、装置本体１０に水平移動自在に設けられた製版ユニット１１を有し、この製版ユニット１１は製版ユニット移動手段（図示せず）によって孔版原紙１２を第１ドラム２５に供給する第１原紙供給位置（図１の仮想線位置）と孔版原紙１２を第２ドラム３６に供給する第２原紙供給位置（図１の実線位置）との間で移動されるようになっている。製版ユニット１１は、ロールされた長尺状の孔版原紙１２を収容する原紙収容部１３と、原紙収容部１３に収容された孔版原紙１２を搬送下流側にガイドする複数の搬送ロール１４と、これら搬送ロール１４の搬送下流側で、搬送面の上部に配置されたサーマルヘッド１５と、このサーマルヘッド１５の対向位置に配置され、ライトパルスモータ（図示せず）の駆動力により回転するプラテンロール１６と、このプラテンロール１６及びサーマルヘッド１５に対して孔版原紙１２の搬送下流側に配置され、ライトパルスモータ（図示せず）の駆動力により回転する一対の原紙送りロール１７，１７と、この一対の原紙送りロール１７，１７とプラテンロール１６及びサーマルヘッド１５との間に配置された原紙カッタ１８を有する。
【００１４】
給紙部３は、印刷媒体である印刷用紙２０が積層される給紙台２１と、この給紙台２１から最上位置の印刷用紙２０のみを分離し印刷用紙２０の用紙搬送下流側に搬送する１次給紙ロール２２，２３と、この一次給紙ロール２２，２３によって搬送された印刷用紙２０を後述する第１ドラム２５の回転に同期して第１ドラム２５と第１プレスロール２７間に給紙する一対の２次給紙ロール２４，２４とを有する。１次給紙ロール２２，２３や一対の２次給紙ロール２４，２４には各給紙クラッチ（図示せず）を介してメインモータ（図示せず）の回転が選択的に伝達されるように構成されている。
【００１５】
また、給紙部３には１次給紙ロール２２，２３と２次給紙ロール２４，２４間の用紙搬送経路を検出ポイントとするペーパーセンサＳ１と、２次給紙ロール２４，２４と第１ドラム２５間の用紙搬送経路を検出ポイントとする２次給紙センサＳ２が設けられている。ペーパーセンサＳ１は、１次給紙ロール２２，２３によって印刷用紙２０が搬送されて来るか否かを検出するようになっている。２次給紙センサＳ２は、２次給紙ロール２４，２４によって印刷用紙２０が搬送されて来るか否かを検出するようになっている。
【００１６】
第１印刷部４は、多孔構造によるインク通過性の部材で円筒状の外周壁２５ａが構成され、メインモータ（図示せず）の駆動力によって図１の矢印Ａ方向に回転される印刷ドラムである第１ドラム２５と、この第１ドラム２５の外周壁２５ａに設けられ、孔版原紙１２の先端をクランプする第１クランプ部２６と、第１ドラム２５内に配置され、外周壁２５ａの内周面側にスキージロール（図示せず）よりインクを供給する第１インク供給手段（図示せず）と、第１ドラム２５の外周壁２５ａの外側で、且つ、スキージロール（図示せず）に対向する位置に配置されたプレス部材である第１プレスロール２７とを備えている。
【００１７】
この第１プレスロール２７の構成は、第１プレスロール移動機構（図示せず）によって、第１ドラム２５の外周壁２５ａを押圧する押圧位置と第１ドラム２５の外周壁２５ａより十分に退避する退避位置との間で移動自在に設けられている。第１プレスロール２７は、非印刷時には退避位置に位置され、印刷時には第１クランプ部２６に干渉する範囲では第１ドラム２５の外周壁２５ａより若干だけ離間した微小離間位置に逃げ、それ以外の範囲では押圧位置に変位するようになっている。
【００１８】
また、第１印刷部４は、第１ドラム２５の用紙搬送下流側の近傍に配置された分離爪２８と分離ノズル２９とを有する。分離爪２８は、第１ドラム２５の外周面とこれに貼り付いた状態で搬送されて来る印刷用紙２０の先端との間に挿入されるようになっている。これによって、第１ドラム２５の外周面に貼り付いて回転しようとする印刷用紙２０を強制的に第１ドラム２５の外周面から引き剥がすようになっている。分離爪２８の先端部にはエアーノズル（図示せず）が設けられ、このエアーノズルからは第１分離ポンプ（図示せず）により圧縮された先端分離エアーが印刷用紙２０の剥離タイミングで吐出されるようになっている。これにより、第１ドラム２５の外周面に貼り付いている印刷用紙２０の先端部だけを圧縮された先端分離エアーで引き剥がすようになっている。分離ファン３０により発生された分離エアーは、分離ノズル２９より、第１ドラム２５の外周面とこれに貼り付いた状態で搬送されて来る印刷用紙２０との間に吹き付けられる。分離ファン３０は第１ドラム２５の回転中は常に駆動され、この分離エアーによって、分離爪２８に設けられたエアーノズルから吐出される先端分離エアーにより先端部だけを引き剥がされた印刷用紙２０の全体を強制的に第１ドラム２５の外周面から引き剥がすようになっている。
【００１９】
そして、第１印刷部４は、製版部２から搬送される孔版原紙１２の先端を第１クランプ部２６でクランプし、このクランプした状態で第１ドラム２５を回転して孔版原紙１２が第１ドラム２５の外周壁２５ａに巻装され、第１ドラム２５の回転に同期して搬送されて来る印刷用紙２０を第１プレスロール２７にて第１ドラム２５の孔版原紙２０に押圧することによって印刷用紙２０に孔版原紙１２の穿孔部分からインクを転写して第１色の画像を印刷するようになっている。
【００２０】
中間搬送部５は、第１ドラム２５の用紙搬送下流側位置と後述する第２ドラム３６の用紙搬送上流側位置の間に配置された一対のベルト掛けプーリ３１，３１と、この一対のベルト掛けプーリ３１，３１に掛けられた無限端ベルト３２と、この無限端ベルト３２の用紙搬送面に印刷用紙２０を吸引する吸引ファン３３と、無限端ベルト３２を移動させるベルト駆動手段（図示せず）とを備えている。また、中間搬送部５は第１ドラム２５から剥離された印刷用紙２０を受け取り、受け取った印刷用紙２０を第２ドラムの回転に同期して第２ドラム３６と第２プレスロール３８間に給紙するようになっている。
【００２１】
また、中間搬送部５には中間センサＳ３が設けられている。中間センサＳ３は、第１印刷部４から印刷用紙２０が分離されて来るか否かを検出するようになっている。
【００２２】
第２印刷部６は、第１印刷部４と同一構成であり、円筒状の外周壁３６ａを有し、メインモータ（図示せず）の駆動力によって図１のＢ矢印方向に回転する印刷ドラムである第２ドラム３６と、この第２ドラム３６の外周壁３６ａに設けられ、孔版原紙１２の先端をクランプする第２クランプ部３７と、第２ドラム３６内に配置され、外周壁３６ａの内周面側にスキージロール（図示せず）よりインクを供給する第２インク供給手段（図示せず）と、第２ドラム３６の外周壁３６ａの外側で、且つ、スキージロール（図示せず）に対向する位置に配置されたプレス部材である第２プレスロール３８とを備えている。この第２プレスロール３８の構成は、第１プレスロール２７と同様であり、説明を省略する。
【００２３】
また、第２印刷部６は、第２ドラム３６の用紙搬送下流側の近傍に配置された分離爪３９と分離ノズル４０とを有する。分離爪３９は、第２ドラム３６の外周面とこれに貼り付いた状態で搬送されて来る印刷用紙２０の先端との間に挿入されるようになっている。これにより、第２ドラム３６の外周面に貼り付いて回転しようとする印刷用紙２０を強制的に第２ドラム３６の外周面から引き剥がすようになっている。分離爪３９の先端部にはエアーノズル（図示せず）が設けられ、このエアーノズルからは第２分離ポンプ（図示せず）により圧縮された先端分離エアーが印刷用紙２０の剥離タイミングで吐出されるようになっている。これにより、第２ドラム３６の外周面に貼り付いている印刷用紙２０の先端だけを圧縮された先端分離エアーで引き剥がすようになっている。分離ファン４１により発生された分離エアーは、分離ノズル４０より、第２ドラム３６の外周面とこれに貼り付いた状態で搬送されて来る印刷用紙２０との間に吹き付けられる。分離ファン４１は第２ドラム３６の回転中は常に駆動され、この分離エアーによって、分離爪３９に設けられたエアーノズルから吐出される先端分離エアーにより先端部だけ引き剥がされた印刷用紙２０の全体を強制的に第２ドラム３６の外周面から引き剥がすようになっている。
【００２４】
そして、第２印刷部６は、製版部２から搬送される孔版原紙１２の先端を第２クランプ部３７でクランプし、このクランプした状態で第２ドラム３６が回転されて孔版原紙１２が第２ドラム３６の外周壁３６ａに巻装され、第２ドラム３６の回転に同期して搬送されて来る印刷用紙２０を第２プレスロール３８にて第２ドラム３６に巻装された孔版原紙１２に押圧することによって印刷用紙２０に孔版原紙１２の穿孔部分からインクを転写して第２色の画像を印刷するようになっている。
【００２５】
排紙部７は、第２ドラム３６より剥離された印刷用紙２０を搬送するベルト搬送機構４２と、ベルト搬送機構４２より排出された印刷用紙２０を載置する排紙台４３とを備えている。ベルト搬送機構４２は、一対のプーリ４２ａ，４２ａと、この一対のプーリ４２ａ，４２ａ間に掛けられた無限端ベルト４２ｂと、この無限端ベルト４２ｂの用紙搬送面に印刷用紙２０を吸引する吸引ファン４２ｃと、無限端ベルト４２ｂを移動させるベルト駆動手段（図示せず）とを備えており、第２ドラム３６より分離された印刷用紙２０を排紙台４３まで搬送し、排紙台４３上に載置するようになっている。また、ベルト搬送機構４２には排紙センサＳ４が設けられている。排紙センサＳ４は、第２印刷部６から印刷用紙２０が搬送されて来るか否かを検出するようになっている。
【００２６】
第１排版部８は、第１ドラム２５に巻装されている孔版原紙１２の先端がクランプ解除され、このクランプ解除された孔版原紙１２を第１ドラム２５より引き剥がしながら搬送する一対の排版ロール４４，４４と、この一対の排版ロール４４，４４によって搬送されて来る孔版原紙１２を収納する排版ボックス４５とを有する。
【００２７】
第２排版部９は、第２ドラム３６に巻装されている孔版原紙１２の先端がクランプ解除され、このクランプ解除された孔版原紙１２を第２ドラム３６より引き剥がしながら搬送する一対の排版ロール４６，４６と、この一対の排版ロール４６，４６によって搬送されて来る孔版原紙１２を収納する排版ボックス４７とを有する。
【００２８】
次に、上記孔版印刷装置１の２色印刷時の製版、印刷制御動作を説明する。
【００２９】
２色製版モードが選択されると、第１ドラム２５側の製版・排版処理が実行される。まず、制御部（図示せず）が第１ドラム２５に孔版原紙１２が巻装されているか否かをチェックし、巻装されている場合には孔版原紙１２を第１ドラム２５より取り除き排版ボックス４５に排版する。
【００３０】
排版処理が終了すると、原稿読み取り動作により読み取った第１色の製版データに基づき孔版原紙１２にサーマルヘッド１５にて感熱穿孔（製版）する。そして、製版された孔版原紙１２の先端を第１クランプ部２６でクランプし、このクランプした状態で第１ドラム２５が回転されて孔版原紙１２が第１ドラム２５の外周壁２５ａに巻装される着版処理が行われる。これで第１ドラム２５側の製版動作が終了する。次に、第１ドラム２５の製版動作が終了すると、第２ドラム３６の製版・排版処理が実行される。まず、製版ユニット１１は製版ユニット移動手段（図示せず）によって、第１ドラム２５側の第１原紙供給位置から、第２ドラム３６側の第２原紙供給位置へと移動される。次に、制御部（図示せず）が第２ドラム３６に孔版原紙１２が巻装されているか否かをチェックし、巻装されている場合には孔版原紙１２を第２ドラム３６より取り除き排版ボックス４７に排版する。読み取った第２色の製版データに基づき孔版原紙１２にサーマルヘッド１５にて感熱穿孔する。そして、第１ドラム２５と同様に、製版された孔版原紙１２が第２ドラム３６に巻装される着版処理が行われ、これで第２ドラム３６側の製版動作が終了する。
【００３１】
次に、２色印刷モードが選択されると、メインモータ（図示せず）が回転して第１及び第２ドラム２５，３６が回転され、この回転に同期して給紙部３より印刷用紙２０が第１ドラム２５に給紙される。この給紙された印刷用紙２０は第１プレスロール２７で第１ドラム２５の孔版原紙１２に押圧されることによって印刷用紙２０に第１色の画像が印刷される。第１色の画像が印刷された印刷用紙２０は第１ドラム２５の外周面より分離爪２８、先端分離エアー及び分離エアーによって剥離されて中間搬送部５に導かれる。中間搬送部５では、印刷用紙２０を無限端ベルト３２の移動で搬送し、印刷用紙２０を第２ドラム３６に給紙する。この給紙された印刷用紙２０は第２プレスロール３８で第２ドラム３６の孔版原紙１２に押圧されることによって印刷用紙２０に第２色の画像が印刷される。第２色の画像が印刷された印刷用紙２０は第２ドラム３６の外周面より分離爪３９、先端分離エアー及び分離エアーによって剥離されてベルト搬送機構４２に導かれる。ベルト搬送機構４２では、印刷用紙２０を無限端ベルト４２ｂの移動で搬送し、ベルト搬送機構４２の最下流より排紙台４３に排出される。排紙台４３に排紙された印刷用紙２０はここに積層状態で載置される。
【００３２】
一方、ペーパーセンサＳ１、２次給紙センサＳ２、中間センサＳ３及び排紙センサＳ４のいずれかが所定のタイミングで印刷用紙２０の通過を検出しなかった場合にはジャミングが発生したと判断する。印刷用紙２０のジャミングが発生したと判断した場合には、第１ドラム２５と第２ドラム３６の回転と、給紙部３及び中間搬送部５及び排紙部７の駆動系は駆動状態を所定時間だけ続行させる一方で、各第１及び第２プレス用ソレノイド（図示せず）をオフして第１及び第２プレスロール２７，３８を退避位置とする。ジャミング発生から所定時間以内の間に、何らかの理由により印刷用紙２０のジャミングが解除されると、ジャミング解除された印刷用紙２０は印刷処理されないで排紙される。
【００３３】
ここで、印刷用紙２０が第２ドラム３６と第２プレスロール３８との間を通過するに際して、第２プレスロール３８が第２ドラム３６の外周壁３６ａより十分に退避した退避位置に位置するため、印刷用紙２０は第２ドラム３６に接触することなく通過する。これにより、印刷用紙２０のジャミングが発生した場合に、印刷用紙２０が第２ドラム３６と第２プレスロール３８間を通過するに際して第２ドラム３６の外周面側に接触することなく通過して孔版原紙１２のインク汚染を確実に防止することができる。
【００３４】
次に、第１ドラム２５のみで印刷を行い、第２ドラム３６では印刷を行わない場合の特徴を説明する。
【００３５】
この場合には印刷用紙２０が第２ドラム３６近傍を通過する際、第２プレスロール３８は退避位置に位置している。従って、印刷用紙２０は、第２ドラム３６の外周面側に接触することなく通過し、排紙部７に搬送される。
【００３６】
また、第１ドラム２５のみで印刷を行い、第２ドラム３６では印刷を行わない場合にあっては、分離ファン４１が分離エアーを吐出しないように制御することが好ましい。
【００３７】
次に、第２ドラム３６のみで印刷を行い、第１ドラム２５では印刷を行わない場合の特徴を説明する。この場合には給紙部３から１次給紙ロール２２，２３および２次給紙ロール２４，２４によって搬送された印刷用紙２０が第１ドラム２５近傍を通過する際、第１プレスロール２７は退避位置に位置している。従って、印刷用紙２０は、第１ドラム２５の外周面に接触することなく通過し、中間搬送部５に搬送される。
【００３８】
また、第２ドラム３６のみで印刷を行い、第１ドラム２５では印刷を行わない場合にあっては、分離ファン３０が分離エアーを吐出しないように制御することが好ましい。
【００３９】
［制御系の構成］
上記孔版印刷装置１の制御系は、図２に示すように、操作パネル部５２を介してユーザが各種操作情報を入力するのに応じて、制御部４９が、ＲＯＭ５０に記憶された制御プログラム（図示せず）をＲＡＭ５１内に読み出し、制御プログラムに従って原稿読取部１９，製版部２，及び第１印刷部４と第２印刷部６を制御することにより、原稿読取部１９で読み取った原稿の画像データを孔版印刷処理するように構成されている。本実施形態では、原稿画像は原稿読取部１９で原稿画像を読み取った画像データを孔版印刷する例で説明するが、通信回線等を介して接続されたパーソナルコンピュータ等の情報処理装置から送信された画像データを孔版印刷する場合も適用可能である。なお、操作パネル部５２は、製版動作を開始するための製版キー（図示せず）、印刷動作を開始するためのスタートキー（図示せず）、印刷動作を停止するためのストップキー（図示せず）、印刷枚数を入力するためのテンキー（図示せず）、７セグメントＬＥＤ等により構成され印刷枚数を表示するための印刷枚数表示手段（図示せず）、各種機能設定や表示を行うための液晶タッチパネル部（図示せず）等を備える。
【００４０】
このような構成を有する孔版印刷装置１では、制御部４９が、以下に示すソート印刷処理を実行することにより、フィニッシャを用いることなく、２ページ又は４ページから成る原稿を部単位でソート印刷する。以下、図３に示すフローチャートを参照して、ソート印刷処理を実行する際の制御部４９の動作手順について詳しく説明する。
【００４１】
［ソート印刷処理１］
図３に示すフローチャートは、孔版印刷装置１の電源が投入されて、孔版印刷装置１の初期化処理が完了するのに応じて開始される。
【００４２】
ステップＳ０１の処理において、制御部４９は、操作パネル部５２の液晶タッチパネル（図示せず）に「ソート印刷」を選択する画面を表示し、ユーザが「ソート印刷」を選択するのに応じて、処理をステップＳ０２に進める。
【００４３】
ステップＳ０２の処理において、制御部４９は、原稿読取部１９，製版部２を制御することにより、１ページ目及び２ページ目の原稿画像を読み取り、画像データを孔版原紙１２に加熱穿孔し、１ページ目及び２ページ目の原稿画像が加熱穿孔された孔版原紙１２をそれぞれ第２ドラム３６及び第１ドラム２５に巻装する（製版動作）。そして、この製版動作が完了するのに応じて、制御部４９は、ソート印刷処理をステップＳ０３に進める。なお、この製版動作を実行する際の制御部４９の動作手順の詳細については、図４に示すフローチャートを参照して後述する。
【００４４】
ステップＳ０３の処理において、制御部４９は、印刷部数を入力する指示を操作パネル部５２の液晶タッチパネル（図示せず）に表示し、ユーザが、操作パネル部５２のテンキー（図示せず）を操作することにより印刷部数を入力する。そして、制御部４９は、印刷部数が入力されるのに応じて、印刷部数記憶部５４に記憶し、処理をステップＳ０４に進める。なお、本実施形態では、制御部４９は、製版動作の完了後、印刷部数を入力する手順で説明したが、「ソート印刷」を選択する際に印刷部数を入力し、製版動作と後述する印刷動作を連続して実行する手順でもよい。
【００４５】
ステップＳ０４の処理において、制御部４９は、第１印刷部４，第２印刷部６を制御することにより、印刷部数記憶部５４に記憶された印刷部数分を印刷し（印刷動作）、一連のソート印刷処理を終了する。なお、この印刷動作を実行する際の制御部４９の動作手順の詳細については図５に示すフローチャートを参照して後述する。
【００４６】
〔製版動作〕
次に、図４に示すフローチャートを参照して、製版動作を実行する際の制御部９の動作手順について詳しく説明する。
【００４７】
図４に示すフローチャートは、図３に示すステップＳ０１の処理が完了するのに応じて開始される。
【００４８】
ステップＳ１１の処理において、制御部４９は、原稿の２ページ目を原稿読取部１９にセットする指示を操作パネル部５２の液晶タッチパネル（図示せず）に表示し、ユーザが、指示に従って原稿の２ページ目を原稿読取部１９にセットし、操作パネル部５２の製版キー（図示せず）を操作するのに応じて、制御部４９は、処理をステップＳ１２に進める。
【００４９】
ステップＳ１２の処理において、制御部４９は、原稿読取部１９を制御することによりセットされた原稿の２ページ目の原稿画像を読み取り、読み取った画像データをＲＡＭ５１に記憶する。そして、制御部４９は、処理をステップＳ１３に進める。
【００５０】
ステップＳ１３の処理において、制御部４９は、製版部２を制御することによりＲＡＭ５１に記憶した２ページ目の画像データに基づいて孔版原紙１２を加熱穿孔し、原稿の２ページ目の原稿画像が加熱穿孔された孔版原紙１２を第１ドラム２５に巻装する。そして、制御部４９は、処理をステップＳ１４に進める。
【００５１】
ステップＳ１４の処理において、制御部４９は、原稿の１ページ目を原稿読取部１９にセットする指示を操作パネル部５２の液晶タッチパネル（図示せず）に表示し、ユーザが、指示に従って原稿の１ページ目を原稿読取部１９にセットし、操作パネル部５２の製版キー（図示せず）を操作するのに応じて、制御部４９は、処理をステップＳ１５に進める。
【００５２】
ステップＳ１５の処理において、制御部４９は、原稿読取部１９を制御することによりセットされた原稿の１ページ目の原稿画像を読み取り、読み取った画像データをＲＡＭ５１に記憶する。そして、制御部４９は、処理をステップＳ１６に進める。
【００５３】
ステップＳ１６の処理において、制御部４９は、製版部２を制御することによりＲＡＭ５１に記憶した１ページ目の画像データに基づいて孔版原紙１２を加熱穿孔し、原稿の１ページ目の原稿画像が加熱穿孔された孔版原紙１２を第２ドラム３６に巻装する。これにより、一連の製版処理は終了する。
【００５４】
〔印刷動作〕
次に、図５に示すフローチャートを参照して、印刷動作を実行する際の制御部４９の動作手順について詳しく説明する。
【００５５】
図５に示すフローチャートは、図３に示すステップＳ０３の処理が完了するのに応じて開始される。
【００５６】
ステップＳ２１の処理において、制御部４９は、印刷枚数を計数するためのプログラムカウンタの値ｎを１に設定し、処理をステップＳ２２に進める。
【００５７】
ステップＳ２２の処理において、制御部４９は、操作パネル部５２のテンキー（図示せず）を操作してユーザにより入力された印刷部数の２（＝原稿のページ数）倍の値を算出し、プログラムカウンタの値ｎが印刷部数の２倍以下であるか否かを判別する。そして、判別の結果、プログラムカウンタの値ｎが印刷部数の２倍以下でない場合、制御部４９は、ユーザにより入力された印刷部数分の印刷処理が完了したと判断し、処理を終了する。一方、プログラムカウンタの値ｎが印刷部数の２倍以下である場合には、制御部４９は印刷処理をステップＳ２３に進める。
【００５８】
ステップＳ２３の処理において、制御部４９は、プログラムカウンタの値ｎが奇数であるか否かを判別する。そして、判別の結果、プログラムカウンタの値ｎが奇数でない、即ち偶数である場合、制御部４９は、原稿の１ページ目の印刷処理を実行するために、処理をステップＳ２５に進める。一方、プログラムカウンタの値ｎが奇数である場合には、制御部４９は、原稿の２ページ目の印刷処理を実行するために、処理をステップＳ２４に進める。
【００５９】
ステップＳ２４の処理において、制御部４９は第１印刷部４を印刷、第２印刷部６を印刷しないと制御して、給紙部３から給紙された印刷用紙２０に印刷処理を実行し、印刷用紙２０を排紙台４３に排紙する。
【００６０】
第１ドラム２５に原稿の第２ページの原稿画像が加熱穿孔された孔版原紙１２を巻装した第１印刷部４は、第１プレスロール２７により印刷用紙を第１ドラム２５に押圧して２ページ目の原稿画像を印刷する。そして、２ページ目の原稿画像が印刷された印刷用紙２０は第２印刷部６に搬送される。第２印刷部６は第２プレスロール３８が離間位置に位置して孔版原紙２０を第２ドラム３６に押圧しないように制御されるので、２ページ目の原稿画像が印刷されて第１印刷部４から搬送された印刷用紙２０は、第２ドラム３６の１ページ目の原稿画像が印刷されないで排紙台４３に排紙される。そして制御部４９は処理をステップＳ２６に進める。
【００６１】
一方、プログラムカウンタの値ｎが偶数の場合、ステップＳ２５の処理において、制御部４９は第１印刷部４を印刷しない、第２印刷部６を印刷と制御して、給紙部３から給紙された印刷用紙２０に印刷処理を実行し、印刷用紙２０を排紙台４３に排紙する。
【００６２】
第１印刷部４は第１プレスロール２７が離間位置に位置して印刷用紙２０を第１ドラム２５に押圧しないように制御されるので、給紙部３から給紙された印刷用紙２０は、第１ドラム２５の２ページ目の原稿画像が印刷されないで第２印刷部６に搬送される。第２ドラム３６に１ページ目の原稿画像が加熱穿孔された孔版原紙１２を巻装した第２印刷部６は、第２プレスロール３８に印刷用紙２０を第２ドラム３６に押圧し第２ドラム３６の１ページ目の原稿画像を印刷する。そして１ページ目の原稿画像が印刷された印刷用紙２０は排紙台４３に排紙される。そして制御部４９は処理をステップＳ２６に進める。
【００６３】
なお、排紙台４３では１ページ目の原稿画像が印刷された印刷用紙２０が排紙され、先に載置された２ページ目の原稿画像が印刷された印刷用紙２０の上に積載される。以下同様の順番で印刷部数分積載される。
【００６４】
ステップＳ２６の処理において、制御部４９は、プログラムカウンタの値ｎを１増数し、処理をステップＳ２２に戻す。
【００６５】
以上の説明から明らかなように、本発明の実施形態となる孔版印刷装置１によれば、制御部４９が、製版部２を制御することにより、第１ドラム２５及び第２ドラム３６にそれぞれ２ページ目及び１ページ目の原稿画像が加熱穿孔された孔版原紙１２を巻装する。そして、制御部４９は、第１印刷部４，第２印刷部６を制御することにより、図６に示すように、最初に第１ドラム２５を利用して原稿画像の２ページ目を印刷し、２ページ目の印刷完了後、第２ドラム３６を利用して原稿画像の１ページ目を印刷する処理を印刷部数分実行する。これにより、排紙台４３には、最下位から２ページ目の原稿画像が印刷された印刷用紙２０、１ページ目の原稿画像が印刷された印刷用紙２０の順番で印刷部数分積載されるので、フィニッシャを用いることなく、２ページから成る印刷物を部単位でソート印刷することができる。
【００６６】
［ソート印刷処理２］
ソート印刷処理２は、４ページからなる原稿画像を部数単位にソート印刷する場合の例である。この場合、以下に説明する部分を除きソート印刷処理１と同一であるので相違する点以外の詳細な説明は省略する。
【００６７】
制御部４９は、ソート印刷処理が選択されると、４ページからなる原稿の３，４ページ目の原稿画像を原稿読取部１９で読み取り、読み取った画像データに基づいて加熱穿孔した孔版原紙１２を第１ドラム２５に巻装し、次いで、原稿の１，２ページ目についても原稿読取部１９で読み取り、読み取った画像データに基づいて加熱穿孔した孔版原紙１２を第２ドラム３６に巻装する。
【００６８】
そして、プログラムカウンタｎの値を１に設定し（あるいは奇数の時）、制御部９は、第１印刷部４を印刷、第２印刷部６を印刷しないと制御して、給紙部３から給紙された印刷用紙２０に印刷処理を実行し、印刷用紙２０を排紙台４３に排紙する。
【００６９】
制御部４９は、給紙部３から給紙された印刷用紙２０に第１印刷部４において第１ドラム２５の前半１／２回転で４ページ目の原稿画像、後半１／２回転で３ページ目の原稿画像を順次印刷し、第２印刷部６に搬送する。この時、第２印刷部６は印刷しないように制御されているので、４ページ目，３ページ目の原稿画像が印刷された印刷用紙２０は、第２印刷部６では印刷されずに搬送され、排紙台４３に順次排紙される。排紙台４３に排紙された印刷用紙２０は排紙された順番に積載される。
【００７０】
次に、プログラムカウンタｎの値が偶数の時、制御部４９は第１印刷部４を印刷しない、第２印刷部６を印刷と制御して、給紙部３から給紙された印刷用紙２０に印刷処理を実行し、印刷佳２０を排紙台４３に排紙する。
【００７１】
制御部４９は、第１印刷部４を印刷しないように制御して給紙部３から給紙された印刷用紙２０を第２印刷部６に搬送する。そして、第２ドラム３６の前半１／２回転で２ページ目の原稿画像、後半１／２回転で１ページ目の原稿画像を順次印刷し、印刷用紙２０を排紙台４３に排紙する。
【００７２】
なお、制御部４９の孔版印刷装置１に対する制御は、印刷枚数がプログラムカウンタの値ｎの４倍にすることと、給紙部３の１次給紙ロール２２，２３、及び一対の２給紙ロール対２４，２４による給紙のタイミングを第１ドラム２５、第２ドラム３６の半回転毎に同期するよう制御することが必要となる。
【００７３】
なお、排紙台４３に排紙された印刷用紙２０は、先に積載された３ページ目の原稿画像が印刷された印刷用紙２０上に２ページ目、１ページ目の原稿画像が印刷された印刷用紙２０が順次排紙され、排紙された順番で積載される。以下同様の順番で印刷部数分積載される。
【００７４】
以上の説明から明らかなように、本発明の実施形態となる孔版印刷装置によれば、フィニッシャ等を用いることなく４ページからなる印刷物を部単位でソート印刷することができる。
【００７５】
以上、本発明者らによってなされた発明を適用した実施形態について説明したが、この実施形態による本発明の開示の一部をなす論述及び図面によって本発明は限定されることはない。例えば、上記実施形態のソート印刷処理では、第１ドラム２５及び第２ドラム３６にそれぞれ原稿の２ページ目及び１ページ目の原稿画像が加熱穿孔された孔版原紙１２を巻装したが、第２ドラム３６には画像が加熱穿孔されていない孔版原紙１２を巻装して印刷処理を行うようにしてもよい。このような構成によれば、１ページ毎に白紙の印刷用紙２０を挿入する合紙動作を行い、印刷されたインクが他の印刷用紙１２に付着（裏移り）することを防止できる。このように、上記実施形態に基づいて当業者等によりなされる他の実施形態、実施例及び運用技術等は全て本発明の範疇に含まれることは勿論であることを最後に付け加えておく。
【産業上の利用可能性】
【００７６】
本発明は、２つのドラムを有する孔版印刷装置に適用することができる。
【図面の簡単な説明】
【００７７】
【図１】本発明の実施形態となる孔版印刷装置の構成を示す模式図である。
【図２】図１に示す孔版印刷装置の制御系の構成を示すブロック図である。
【図３】本発明の実施形態となるソート印刷処理１の動作手順を示すフローチャート図である。
【図４】図３に示す製版動作のサブルーチンを示すフローチャート図である。
【図５】図３に示す印刷動作のサブルーチンを示すフローチャート図である。
【符号の説明】
【００７８】
１：孔版印刷装置
２：製版部
３：給紙部
４：第１印刷部
５：中間搬送部
６：第２印刷部
８：第１排版部
９：第２排版部
１９：原稿読取部
２５：第１ドラム
３６：第２ドラム
４９：制御部
５０：ＲＯＭ（Read Only Memory）
５１：ＲＡＭ（Random Access Memory）
５２：操作パネル部
５４：印刷枚数記憶部
【図１】
2006150674.tif 000003
【図２】
2006150674.tif 000004
【図３】
2006150674.tif 000005
【図４】
2006150674.tif 000006
【図５】
2006150674.tif 000007